(57)【要約】【課題】フィルムによる補強効果を十分に活かせて、ガラス板の破損を防止するガラス窓のガラス板補強構造及びその方法を提供する。【解決手段】ガラス板１１と、ガラス板１１の周縁部１４が嵌入する嵌め込み部１６を備えた窓枠１７とを有するガラス窓１８の補強構造であって、ガラス板１１の屋内面１２の周縁部１４を含む全面に、可撓性を有するプラスチック製の第１のフィルム１３が貼付されている。また、既設のガラス窓のガラス板１１の補強方法においては、窓枠１７を分解してガラス板１１を取り外し、取り外されたガラス板１１の屋内面１２の周縁部１４を含む全面に、可撓性を有するプラスチック製の第１のフィルム１３を貼付し、第１のフィルム１３が貼付されたガラス板１１を窓枠１７に取付ける。【選択図】　　　　図１
2004017531.tif 000002
【特許請求の範囲】
【請求項１】
ガラス板と、該ガラス板の周縁部が嵌入する嵌め込み部を備えた窓枠とを有するガラス窓の補強構造であって、
前記ガラス板の屋内面の前記周縁部を含む全面に、可撓性を有するプラスチック製の第１のフィルムが貼付されていることを特徴とするガラス窓のガラス板補強構造。
【請求項２】
請求項１記載のガラス窓のガラス板補強構造において、前記ガラス板の屋外面であって、前記ガラス板と前記窓枠との境界部を、可撓性を有するプラスチック製の第２のフィルムで覆い、しかも該第２のフィルムは前記ガラス板の前記周縁部まで延設されていることを特徴とするガラス窓のガラス板補強構造。
【請求項３】
請求項２記載のガラス窓のガラス板補強構造において、前記第２のフィルムには警戒色が塗布されていることを特徴とするガラス窓のガラス板補強構造。
【請求項４】
請求項１〜３のいずれか１項に記載のガラス窓のガラス板補強構造において、前記窓枠の嵌め込み部と前記第１のフィルムとの間には、硬質の衝撃吸収部材が設けられていることを特徴とするガラス窓のガラス板補強構造。
【請求項５】
請求項１〜４のいずれか１項に記載のガラス窓のガラス板補強構造において、前記窓枠の嵌め込み部と前記ガラス板の周縁部との間には軟質のガラス受け材が嵌装されていることを特徴とするガラス窓のガラス板補強構造。
【請求項６】
請求項１〜４のいずれか１項に記載のガラス窓のガラス板補強構造において、前記窓枠の嵌め込み部と前記ガラス板の周縁部との間には硬質のガラス受け材が嵌装されていることを特徴とするガラス窓のガラス板補強構造。
【請求項７】
請求項１及び２のいずれか１項に記載のガラス窓のガラス板補強構造において、前記窓枠の嵌め込み部と前記ガラス板の周縁部との間には、軟質のガラス受け材と、プラスチック及び金属のいずれか１つからなり、しかも前記窓枠より内側に突出する断面コ字状の衝撃吸収材とが嵌装されていることを特徴とするガラス窓のガラス板補強構造。
【請求項８】
ガラス板と、該ガラス板の周縁部が嵌入する嵌め込み部を備えた窓枠とを有するガラス窓の補強構造であって、
前記窓枠の嵌め込み部と前記ガラス板の周縁部との間には軟質のガラス受け材が嵌装され、前記ガラス板の屋内面で前記ガラス受け材の嵌め込み部を除く全面に、可撓性を有するプラスチック製の第３のフィルムが貼付され、しかも、該第３のフィルムの周縁部が荷重受け部材を介して前記窓枠により支持されたことを特徴とするガラス窓のガラス板補強構造。
【請求項９】
建屋やドアに取り外し可能に設けられ、ガラス板と、該ガラス板の周縁部が嵌入する嵌め込み部を備えた窓枠とを有するガラス窓の補強方法であって、
前記窓枠を分解して前記ガラス板を取り外し、
取り外された前記ガラス板の屋内面の前記周縁部を含む全面に、可撓性を有するプラスチック製の第１のフィルムを貼付し、
前記第１のフィルムが貼付された前記ガラス板を前記窓枠に取付けることを特徴とするガラス窓のガラス板補強方法。
【請求項１０】
請求項９記載のガラス窓のガラス板補強方法において、取り外された前記ガラス板の屋外面であって、前記ガラス板と前記窓枠との境界部を、可撓性を有するプラスチック製の第２のフィルムで覆い、しかも該第２のフィルムを前記ガラス板の前記周縁部まで延設することを特徴とするガラス窓のガラス板補強方法。
【請求項１１】
請求項１０記載のガラス窓のガラス板補強方法において、前記第２のフィルムには警戒色を塗布することを特徴とするガラス窓のガラス板補強方法。
【請求項１２】
請求項９〜１１のいずれか１項に記載のガラス窓のガラス板補強方法において、分解された前記窓枠の嵌め込み部と前記第１のフィルムとの間には、硬質の衝撃吸収部材を設けることを特徴とするガラス窓のガラス板補強方法。
【請求項１３】
請求項９〜１２のいずれか１項に記載のガラス窓のガラス板補強方法において、分解された前記窓枠の嵌め込み部と前記ガラス板の周縁部との間には軟質のガラス受け材を嵌装することを特徴とするガラス窓のガラス板補強方法。
【請求項１４】
請求項９〜１２のいずれか１項に記載のガラス窓のガラス板補強方法において、分解された前記窓枠の嵌め込み部と前記ガラス板の周縁部との間には硬質のガラス受け材を嵌装することを特徴とするガラス窓のガラス板補強方法。
【発明の詳細な説明】
【０００１】
【発明の属する技術分野】
本発明は、建屋やドアに設けられ、ガラス板の周縁部が嵌入する窓枠を有するガラス窓のガラス板補強構造及びその方法に関する。
【０００２】
【従来の技術】
従来、図９及び図１０に示すように、家屋８０には、家屋８０の屋内８１と屋外８２とを仕切るためのガラス窓８３が設けられており、ガラス窓８３の４辺を構成する矩形状の窓枠の一例であるアルミ枠（アルミサッシ）８４が家屋８０の壁８５にアンカー施工されている。アルミ枠８４の内周側には断面凹状の嵌め込み部８６が形成されており、嵌め込み部８６には矩形状のガラス板８７の周縁部８８を保持し、しかもシールする断面凹状のガラス受け材の一例であるゴム等の軟質材からなるシール材８９の大部分が嵌め込まれている。
近年、泥棒等、家屋８０に不法に侵入する者に対する防犯のため、図１０に示すように、ガラス板８７の屋内８１側で、シール材８９の内周端より内側のガラス見付面９０には補強のために、可撓性を有するプラスチック製のフィルム９１（斜線で示す）が貼付されている。従って、屋外８２側から、爆発やハンマー等により大きな外力９２がガラス板８７に作用しても、フィルム９１が貼付されているため、ガラス板８７は破損され難く、たとえ、ガラス板８７が割れても、図９に示すように、ガラス片９３が飛散することを防止することができ、これにより、防弾ガラスのような効果を発揮する。
【０００３】
【発明が解決しようとする課題】
しかしながら、前記従来のガラス窓８３においては、未だ解決すべき以下のような問題があった。
図１０に示すように、ガラス板８７の屋外面９３にボール等が衝突したり、又はガラス板８７のａの部分（フィルム９１の外縁端に対応する位置）をドライバーやガラス切等で切りつけた場合、ａの部分からガラス板８７が入り込むシール材８９側部分にはフィルム９１が貼り付けされていないので、フィルム９１とガラス板８７とが一体となった補強効果が発揮されず、この結果、ａの部分に発生する渕せん断力によりガラス板８７はａの部分で、シール材８９及びアルミ枠８４と剪断されるという問題があった。
【０００４】
本発明はこのような事情に鑑みてなされたもので、フィルムによる補強効果を十分に活かせて、ガラス板の破損を防止するガラス窓のガラス板補強構造及びその方法を提供することを目的とする。
【０００５】
【課題を解決するための手段】
前記目的に沿う第１の発明に係るガラス窓のガラス板補強構造は、ガラス板と、ガラス板の周縁部が嵌入する嵌め込み部を備えた窓枠とを有するガラス窓の補強構造であって、ガラス板の屋内面の周縁部を含む全面に、可撓性を有するプラスチック製の第１のフィルムが貼付されている。これによって、屋外側から作用する外力によってガラス板に作用する剪断力を、ガラス板の屋内面の周縁部を含む全面に貼付されている第１のフィルムにより軽減することができる。
本発明に係るガラス窓のガラス板補強構造において、ガラス板の屋外面であって、ガラス板と窓枠との境界部を、可撓性を有するプラスチック製の第２のフィルムで覆い、しかも第２のフィルムをガラス板の周縁部まで延設することもできる。これによって、ガラス板の屋外面において、ガラス板と窓枠との境界部をガラス切り等で切断しようとしても、第２のフィルムによりガラス板の切断を防止することができる。
【０００６】
本発明に係るガラス窓のガラス板補強構造において、第２のフィルムには警戒色を塗布することもできる。これによって、ガラス窓が防犯用であることを明らかにできる。
本発明に係るガラス窓のガラス板補強構造において、窓枠の嵌め込み部と第１のフィルムとの間には、硬質の衝撃吸収部材を設けることもできる。これによって、硬質の衝撃吸収部材を介してガラス板の周縁部の局部的な接触面圧を軽減することができる。
【０００７】
本発明に係るガラス窓のガラス板補強構造において、窓枠の嵌め込み部とガラス板の周縁部との間には軟質のガラス受け材を嵌装することもできる。これによって、軟質のガラス受け材を介してガラス板の窓枠への取付けを容易にできる。
本発明に係るガラス窓のガラス板補強構造において、窓枠の嵌め込み部とガラス板の周縁部との間には硬質のガラス受け材を嵌装することもできる。これによって、硬質のガラス受け材を介してガラス板を窓枠へ強固に保持することができる。
本発明に係るガラス窓のガラス板補強構造において、窓枠の嵌め込み部とガラス板の周縁部との間には、軟質のガラス受け材と、プラスチック及び金属のいずれか１つからなり、しかも窓枠より内側に突出する断面コ字状の衝撃吸収材とを嵌装することもできる。これによって、軟質のガラス受け材を介してガラス板を窓枠に容易に取付けることができると共に、衝撃吸収材によりガラス板の周縁部の局部的な接触面圧を軽減することができる。
前記目的に沿う第２の発明に係るガラス窓のガラス板補強構造は、ガラス板と、ガラス板の周縁部が嵌入する嵌め込み部を備えた窓枠とを有するガラス窓の補強構造であって、窓枠の嵌め込み部とガラス板の周縁部との間には軟質のガラス受け材が嵌装され、ガラス板の屋内面でガラス受け材の嵌め込み部を除く全面に、可撓性を有するプラスチック製の第３のフィルムが貼付され、しかも、第３のフィルムの周縁部が荷重受け部材を介して窓枠により支持されている。これによって、荷重受け部材により第３のフィルムの周縁部を受けることで、ガラス板の剪断位置を第３のフィルムの貼付された位置に移動できる。
【０００８】
前記目的に沿う本発明に係るガラス窓のガラス板補強方法は、建屋やドアに取り外し可能に設けられ、ガラス板と、ガラス板の周縁部が嵌入する嵌め込み部を備えた窓枠とを有するガラス窓の補強方法であって、窓枠を分解してガラス板を取り外し、取り外されたガラス板の屋内面の周縁部を含む全面に、可撓性を有するプラスチック製の第１のフィルムを貼付し、第１のフィルムが貼付されたガラス板を窓枠に取付ける。これによって、既設のガラス板の屋内面の周縁部を含む全面に、可撓性を有するプラスチック製の第１のフィルムを貼付することにより、屋外側から作用する外力によってガラス板に作用する剪断力を軽減することができる。
【０００９】
本発明に係るガラス窓のガラス板補強方法において、取り外されたガラス板の屋外面であって、ガラス板と窓枠との境界部を、可撓性を有するプラスチック製の第２のフィルムで覆い、しかも第２のフィルムをガラス板の周縁部まで延設することもできる。これによって、ガラス板の屋外面において、ガラス板と窓枠との境界部をガラス切り等で切断しようとしても、第２のフィルムによりガラス板の切断を防止することができる。
本発明に係るガラス窓のガラス板補強方法において、第２のフィルムには警戒色を塗布することもできる。これによって、ガラス窓が防犯用であることを明らかにできる。
【００１０】
本発明に係るガラス窓のガラス板補強方法において、分解された窓枠の嵌め込み部と第１のフィルムとの間には、硬質の衝撃吸収部材を設けることもできる。これによって、硬質の衝撃吸収部材を介してガラス板の周縁部の局部的な接触面圧を軽減することができる。
本発明に係るガラス窓のガラス板補強方法において、分解された窓枠の嵌め込み部とガラス板の周縁部との間には軟質のガラス受け材を嵌装することもできる。これによって、ガラス受け材によりガラス板の窓枠への取付けを容易にできる。本発明に係るガラス窓のガラス板補強方法において、分解された窓枠の嵌め込み部とガラス板の周縁部との間には硬質のガラス受け材を嵌装することもできる。硬質のガラス受け材を介してガラス板を窓枠へ強固に保持することができる。
【００１１】
【発明の実施の形態】
続いて、添付した図面を参照しつつ、本発明を具体化した実施の形態につき説明し、本発明の理解に供する。
ここに、図１は本発明の第１の実施の形態に係るガラス窓のガラス板補強構造の説明図、図２は本発明の第２の実施の形態に係るガラス窓のガラス板補強構造の説明図、図３は本発明の第３の実施の形態に係るガラス窓のガラス板補強構造の説明図、図４は本発明の第４の実施の形態に係るガラス窓のガラス板補強構造の説明図、図５は本発明の第５の実施の形態に係るガラス窓のガラス板補強構造の説明図、図６は本発明の第６の実施の形態に係るガラス窓のガラス板補強構造の説明図、図７は本発明の第７の実施の形態に係るガラス窓のガラス板補強構造の説明図、図８は本発明の第８の実施の形態に係るガラス窓のガラス板補強構造の説明図である。
【００１２】
図１に示すように、本発明の第１の実施の形態に係るガラス窓のガラス板補強構造１０は、矩形状のガラス板１１と、嵌め込み部１６を備えた窓枠１７とを有したガラス窓１８に適用され、ガラス板１１の屋内面１２の全面に貼付された可撓性を有するプラスチック製の第１のフィルム１３と、第１のフィルム１３が貼付されたガラス板１１の周縁部１４が嵌入する分解可能なガラス受け材１５とを有し、ガラス受け材１５は嵌め込み部１６に嵌装されている。以下、これらについて詳しく説明する。
【００１３】
ガラス窓１８の窓枠１７は、図９に示す場合と同様に、建屋の垂直な壁やドア等に取り外し可能に設けられている。窓枠１７は上枠、下枠、及び上枠、下枠のそれぞれの端部を垂直に連結する左右の立枠から構成されており、雨仕舞いや気密性を考慮した構造となって、アルミニウム合金製である。窓枠１７の内周側には断面凹状の嵌め込み部１６が形成されている。
ガラス板１１は、矩形状に形成されており、厚さＧは３〜７ｍｍ程度である。
ガラス板１１の屋内面１２の全面には第１のフィルム１３が貼付されており、第１のフィルム１３の厚さＦは０．１〜０．４ｍｍ程度である。第１のフィルム１３は、例えば、複数枚の透明なポリエステルフィルムを接着剤を用いて積層し、表面にはキズ防止のための表面加工が施された構造のものである。
【００１４】
窓枠１７の嵌め込み部１６には、ゴム等の軟質材からなるガラス受け材１５が嵌装されており、ガラス受け材１５には、第１のフィルム１３が貼付されたガラス板１１の４辺の周縁部１４が嵌装される断面凹状の嵌め込み部１９が形成されている。ガラス受け材１５の内側部は窓枠１７の内側部より内側（ガラス板１１の中央側）に突出して設けられている。
かかる構成によって、たとえ、ガラス板１１の屋外面１２ａにボール等が衝突した場合でも、ガラス板１１の屋内面１２の全面に第１のフィルム１３が貼付されているので、この結果、剪断力をガラス板１１と第１のフィルム１３とによって負担することができ、ガラス板１１に発生する剪断応力を軽減できるため、ガラス板１１が剪断される恐れが無い。因みに、大ハンマーによって一様ガラスを破壊する比較実験を行った結果、図１０に示す従来のガラス窓のガラス板補強構造の場合には、大ハンマーの一撃でフィルム９１が貼付されたガラス板８７とアルミ枠８４とが剪断されたが、本実施の形態のガラス窓のガラス板補強構造１０の場合には、同じ衝撃を３回繰り返しても剪断は起こらなかった。
【００１５】
次いで、本発明の一実施の形態に係るガラス窓のガラス板補強方法について、図１を参照しながら説明する。なお、補強しようとするガラス窓は、図１のガラス窓１８において第１のフィルム１３が貼付されていない状態にあるものとする。
（１）建屋又はドアに取付けられた補強前のガラス窓を建屋又はドアから取り外す。
（２）ガラス窓の窓枠１７及びガラス受け材１５を分解してガラス板１１を取り外す。
【００１６】
（３）取り外されたガラス板１１の屋内面１２の周縁部１４を含む全面に、第１のフィルム１３を貼付する。
（４）第１のフィルム１３が貼付されたガラス板１１をガラス受け材１５を介して、組み立てられた窓枠１７に取付ける。
（５）補強されたガラス窓１８を、窓枠１７を介して元の建屋又はドアに取付ける。
【００１７】
図２には、本発明の第２の実施の形態に係るガラス窓のガラス板補強構造２０を示す。なお、ガラス窓のガラス板補強構造１０と同一の構成要素については、同一の符号を付して詳しい説明を省略する。
ガラス窓のガラス板補強構造２０がガラス窓のガラス板補強構造１０と異なる点は、ガラス窓２１のガラス板１１の屋外面１２ａにおいて、ガラス板１１と窓枠１７との境界部２２を、可撓性を有するプラスチック製の第２のフィルム２３で覆い、しかも第２のフィルム２３はガラス板１１の周縁部１４の先端まで延設されている点である。なお、第２のフィルム２３には、赤色又は黄色等の警戒色が塗布されており、これにより、ガラス窓２１が防犯窓であることを明らかにしている。
【００１８】
かかる構成によって、ガラス板１１の屋外側のｂの部分（ガラス受け材１５の内縁端に対応する位置）をドライバーやガラス切等で切りつけた場合でも、ｂの部分から周縁部１４には第２のフィルム２３が貼付されているので、この結果、疵が付き難く、しかも、周縁部１４に作用する剪断力を第２のフィルム２３によって負担することができ、ガラス窓２１に生じる剪断応力を軽減でき、ガラス板１１が剪断される恐れはない。また、ガラス窓２１が防犯窓であることを明らかにしているため、防犯効果が向上する。
【００１９】
図３には、本発明の第３の実施の形態に係るガラス窓のガラス板補強構造３０を示す。なお、ガラス窓のガラス板補強構造１０と同一の構成要素については、同一の符号を付して詳しい説明を省略する。
ガラス窓のガラス板補強構造３０がガラス窓のガラス板補強構造１０と異なる点は、ガラス窓３１のガラス受け材３２の嵌め込み部１９と第１のフィルム１３との間には、硬質の衝撃吸収部材の一例である衝撃吸収板３３が設けられている点である。衝撃吸収板３３は厚さが０．５〜２ｍｍ程度のウレタン等の硬質プラスチックからなり、図３に示すように、軟質のガラス受け材３２の内側端位置からガラス板１１の周縁部１４の先端まで延設されている。かかる構成によって、ガラス板１１の周縁部１４に作用する局部的な接触面圧を軽減することができる。
【００２０】
図４には、本発明の第４の実施の形態に係るガラス窓のガラス板補強構造４０を示す。なお、ガラス窓のガラス板補強構造１０と同一の構成要素については、同一の符号を付して詳しい説明を省略する。
ガラス窓のガラス板補強構造４０がガラス窓のガラス板補強構造１０と異なる点は、ガラス窓４１のガラス受け材４２の材質を、ゴム等の軟質材ではなく、ウレタン等の硬質材としている点である。かかる構成によって、ガラス受け材４２はガラス板１１の周縁部１４を強固に保持すると共に、ガラス板１１の周縁部１４に作用する局部的な接触面圧を軽減することができる。
【００２１】
図５には、本発明の第５の実施の形態に係るガラス窓のガラス板補強構造５０を示す。なお、ガラス窓のガラス板補強構造２０と同一の構成要素については、同一の符号を付して詳しい説明を省略する。
ガラス窓のガラス板補強構造５０がガラス窓のガラス板補強構造２０と異なる点は、ガラス窓５１のガラス受け材５２の材質を、ガラス窓のガラス板補強構造４０と同様、ゴム等の軟質材ではなく、ウレタン等の硬質材としている点である。かかる構成によって、ガラス受け材５２はガラス板１１の周縁部１４を強固に保持すると共に、ガラス板１１の周縁部１４に作用する局部的な接触面圧を軽減することができる。
【００２２】
図６には、本発明の第６の実施の形態に係るガラス窓のガラス板補強構造６０を示す。なお、ガラス窓のガラス板補強構造５０と同一の構成要素については、同一の符号を付して詳しい説明を省略する。
ガラス窓のガラス板補強構造６０がガラス窓のガラス板補強構造５０と異なる点は、ガラス窓６１のガラス受け材６２の嵌め込み部１９と第１のフィルム１３との間には、硬質の衝撃吸収部材の一例である衝撃吸収板６３が設けられている点である。衝撃吸収板６３はウレタン等の硬質プラスチックからなり、図６に示すように、ガラス受け材６２の内側端からガラス板１１の周縁部１４の先端まで延設されている。かかる構成によって、ガラス板１１の周縁部１４に作用する局部的な接触面圧を軽減することができる。
【００２３】
図７には、本発明の第７の実施の形態に係るガラス窓のガラス板補強構造７０を示す。なお、ガラス窓のガラス板補強構造１０と同一の構成要素については、同一の符号を付して詳しい説明を省略する。
ガラス窓のガラス板補強構造７０がガラス窓のガラス板補強構造１０と異なる点は、ガラス窓７１のガラス受け材７２の嵌め込み部７３と第１のフィルム１３が貼付されたガラス板１１の周縁部１４との間には、プラスチック及び金属のいずれか１つからなる断面コ字状の衝撃吸収材７４が嵌装されている。即ち、窓枠１７の嵌め込み部１６と第１のフィルム１３が貼付されたガラス板１１の周縁部１４との間には、ゴム等の軟質材からなる断面コ字状のガラス受け材７２と、窓枠１７及びガラス受け材７２の内縁端より内側に突出する衝撃吸収材７４とが、嵌装されている。
【００２４】
なお、ガラス板１１及び第１のフィルム１３の外周面７５と、第１のフィルム１３の周縁部１４の外面７６とは、衝撃吸収材７４の内面と接着され、防水処理されている。かかる構成によって、衝撃吸収材７４によりガラス板１１の周縁部１４に作用する局部的な接触面圧を軽減すると共に、フィルムの貼付作業に比較して簡単に取付作業を行うことができる。
【００２５】
図８には、本発明の第８の実施の形態に係るガラス窓のガラス板補強構造１０ａを示す。なお、ガラス窓１８ａにおけるガラス窓のガラス板補強構造１０ａにおいて、ガラス窓のガラス板補強構造１０と同一の構成要素については、同一の符号を付して詳しい説明を省略する。
ガラス窓のガラス板補強構造１０ａがガラス窓のガラス板補強構造１０と異なる点は、図８に示すように、窓枠１７ａの嵌め込み部１６ａとガラス板１１の周縁部１４ａとの間には軟質のガラス受け材１５ａが嵌装されており、ガラス板１１の屋内面１２でガラス受け材１５ａの嵌め込み部１９ａを除く全面に、可撓性を有するプラスチック製の第３のフィルム１３ａが貼付されており、しかも、第３のフィルム１３ａの周縁部１４ｂが荷重受け部材１４ｃを介して窓枠１７ａにより支持されている点である。第３のフィルム１３ａはガラス板１１には窓枠１７ａの内側突出端までしか貼付されておらず、この第３のフィルム１３ａの周縁部１４ｂは、窓枠１７ａの屋内側の内側突出端にビスねじ１４ｄにより取り外し可能に設けられた断面Ｌ字状のアングル材からなる荷重受け部材１４ｃの一方の片により支持されている。かかる構成により、ビスねじ１４ｄにより荷重受け部材１４ｃを取り外すだけでガラス板１１の補強ができ、窓枠１７ａを分解しなくてもよい。なお、荷重受け部材１４ｃの他方の片と窓枠１７ａの屋内側の内側突出端面とを接着剤により接合する。
【００２６】
本発明は前記した実施の形態に限定されるものではなく、本発明の要旨を変更しない範囲での変更は可能であり、例えば、前記したそれぞれの実施の形態や変形例の一部又は全部を組み合わせて本発明のガラス窓のガラス板補強構造及びその方法を構成する場合にも本発明は適用される。
前記実施の形態においては、窓枠の嵌め込み部とガラス板の周縁部との間には、硬質又は軟質のガラス受け材を設けたが、これに限定されず、必要に応じて、ガラス受け材を省略することもできる。
窓枠１７をアルミニウム合金製としたが、これに限定されず、その他の材質（例えば、木材）で構成することもできる。
【００２７】
第１のフィルム１３を既設のガラス板１１に貼付したが、これに限定されず、新規に製作するガラス窓のガラス板に貼付することもできる。また、第１のフィルム１３の色について特に言及しなかったが、どんな色でも構わない。しかし、透明なものの方が好ましい。また、第２のフィルム２３の色を警戒色として赤色又は黄色等としたが、これに限定されず、状況に応じて、その他の色を塗布することもできる。
ガラス窓の窓枠を建屋又はドアに取り外し可能に設けたが、これに限定されず、必要に応じて、ガラス窓の窓枠の一部が建屋又はドアに固定されたまま、窓枠の他部のみ取り外してガラス板を取り外し可能な構造とすることもできる。
【００２８】
【発明の効果】
請求項１〜７記載のガラス窓のガラス板補強構造、及び請求項９〜１４記載のガラス窓のガラス板補強方法においては、屋外側から作用する外力によってガラス板に作用する剪断力を、ガラス板の屋内面の周縁部を含む全面に貼付されている第１のフィルムにより軽減することができるので、フィルムによる補強効果を十分に活かせて、ガラス板の破損を防止することができる。
特に、請求項２記載のガラス窓のガラス板補強構造及び請求項１０記載のガラス窓のガラス板補強方法においては、ガラス板の屋外面において、ガラス板と窓枠との境界部をガラス切り等で切断しようとしても、第２のフィルムによりガラス板の切断を防止することができるので、確実にガラス板の破損を防止することができる。
【００２９】
請求項３記載のガラス窓のガラス板補強構造及び請求項１１記載のガラス窓のガラス板補強方法においては、ガラス窓が防犯用であることを明らかにできるので、防犯の効果が向上する。
請求項４記載のガラス窓のガラス板補強構造及び請求項１２記載のガラス窓のガラス板補強方法においては、硬質の衝撃吸収部材を介してガラス板の周縁部の局部的な接触面圧を軽減することができるので、ガラス板の破損を防止することができる。
請求項５記載のガラス窓のガラス板補強構造及び請求項１３記載のガラス窓のガラス板補強方法においては、軟質のガラス受け材を介してガラス板の窓枠への取付けを容易にできるので、取付け作業が簡略化される。
【００３０】
請求項６記載のガラス窓のガラス板補強構造及び請求項１４記載のガラス窓のガラス板補強方法においては、硬質のガラス受け材を介してガラス板を窓枠へ強固に保持することができるので、ガラス板の破損を防止することができる。
請求項７記載のガラス窓のガラス板補強構造においては、軟質のガラス受け材を介してガラス板を窓枠に容易に取付けることができると共に、衝撃吸収材によりガラス板の周縁部の局部的な接触面圧を軽減することができるので、取付け作業が簡略化され、しかもガラス板の破損を防止することができる。
請求項８記載のガラス窓のガラス板補強構造においては、荷重受け部材により第３のフィルムの周縁部を受けることで、ガラス板の剪断位置を第３のフィルムの貼付された位置に移動できるので、面積の少ないフィルムによって補強効果を十分に活かせて、ガラス板の破損を防止することができる。
特に、請求項９記載のガラス窓のガラス板補強方法においては、既設のガラス板に第１のフィルムを貼付することにより、ガラス板に作用する剪断力を軽減することができるので、安価にガラス板の補強ができる。
【図面の簡単な説明】
【図１】本発明の第１の実施の形態に係るガラス窓のガラス板補強構造の説明図である。
【図２】本発明の第２の実施の形態に係るガラス窓のガラス板補強構造の説明図である。
【図３】本発明の第３の実施の形態に係るガラス窓のガラス板補強構造の説明図である。
【図４】本発明の第４の実施の形態に係るガラス窓のガラス板補強構造の説明図である。
【図５】本発明の第５の実施の形態に係るガラス窓のガラス板補強構造の説明図である。
【図６】本発明の第６の実施の形態に係るガラス窓のガラス板補強構造の説明図である。
【図７】本発明の第７の実施の形態に係るガラス窓のガラス板補強構造の説明図である。
【図８】本発明の第８の実施の形態に係るガラス窓のガラス板補強構造の説明図である。
【図９】従来例のガラス窓の取付構造の説明図である。
【図１０】従来例のガラス窓の取付構造の詳細な説明図である。
【符号の説明】
１０、１０ａ：ガラス窓のガラス板補強構造、１１：ガラス板、１２：屋内面、１２ａ：屋外面、１３：第１のフィルム、１３ａ：第３のフィルム、１４、１４ａ：周縁部、１４ｂ：周縁部、１４ｃ：荷重受け部材、１４ｄ：ビスねじ、１５、１５ａ：ガラス受け材、１６、１６ａ：嵌め込み部、１７、１７ａ：窓枠、１８、１８ａ：ガラス窓、１９、１９ａ：嵌め込み部、２０：ガラス窓のガラス板補強構造、２１：ガラス窓、２２：境界部、２３：第２のフィルム、３０：ガラス窓のガラス板補強構造、３１：ガラス窓、３２：ガラス受け材、３３：衝撃吸収板（衝撃吸収部材）、４０：ガラス窓のガラス板補強構造、４１：ガラス窓、４２：ガラス受け材、５０：ガラス窓のガラス板補強構造、５１：ガラス窓、５２：ガラス受け材、６０：ガラス窓のガラス板補強構造、６１：ガラス窓、６２：ガラス受け材、６３：衝撃吸収板（衝撃吸収部材）、７０：ガラス窓のガラス板補強構造、７１：ガラス窓、７２：ガラス受け材、７３：嵌め込み部、７４：衝撃吸収材、７５：外周面、７６：外面
【図１】
2004017531.tif 000003
【図２】
2004017531.tif 000004
【図３】
2004017531.tif 000005
【図４】
2004017531.tif 000006
【図５】
2004017531.tif 000007
【図６】
2004017531.tif 000008
【図７】
2004017531.tif 000009
【図８】
2004017531.tif 000010
【図９】
2004017531.tif 000011
【図１０】
2004017531.tif 000012